【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
少なくとも１つの流体ボディを移動させるマイクロ流体構造であって、
第１のプレートの少なくとも一部分の上に位置する誘電体を有する第１のプレートと、
第２のプレートであって、該第２のプレートと該第１のプレートの少なくとも該一部分の上に位置する該誘電体との間に少なくとも１つのキャビティを形成するために、該第１のプレートから間隔を空けた第２のプレートと、
該キャビティと該マイクロ流体構造の外部との間に流体の伝達を提供する少なくとも１つの第１のポートと、
該第１のプレートと該第２のプレートとの間に収容された駆動電極のアレイと、
薄膜トランジスタのアレイであって、該薄膜トランジスタは、該駆動電極のアレイにおける該駆動電極のそれぞれと接続され、該駆動電極のそれぞれの上に位置する該誘電体のそれぞれの部分に印加されるそれぞれの電位を制御し、該少なくとも１つの流体ボディを駆動電極から駆動電極に移動させる、薄膜トランジスタのアレイと
を備える、マイクロ流体構造。
【請求項２】
前記駆動電極は、２次元マトリクスである、請求項１に記載のマイクロ流体構造。
【請求項３】
前記第１のプレートおよび前記第２のプレートは実質的に平面であり、互いに対して並行である、請求項１に記載のマイクロ流体構造。
【請求項４】
前記第１のポートに接続されたバルブをさらに備え、該バルブは、該第１のポートを通る前記少なくとも１つの流体ボディの流れを制御するために、選択的に駆動可能である、請求項１に記載のマイクロ流体構造。
【請求項５】
前記駆動電極の各々は、前記少なくとも１つの流体ボディの長手方向の寸法よりも小さい寸法を有する、請求項１に記載のマイクロ流体構造。
【請求項６】
前記第１のプレートと前記第２のプレートとの間に収容された少なくとも１つのグランド電極であって、前記駆動電極のアレイから前記駆動電極のアレイに対して、一般に、垂直の方向に相対的に間隔を空ける、少なくとも１つのグランド電極をさらに備える、請求項１に記載のマイクロ流体構造。
【請求項７】
前記駆動電極のアレイは、略平面の２次元マトリクスであり、ここで、アレイの連続的駆動電極は、前記少なくとも１つの流体ボディが移動する平面において前記誘導体のそれぞれの部分に異なったそれぞれの電位を印加するように活性化される、請求項１に記載のマイクロ流体構造。
【請求項８】
前記誘導体層の少なくとも一部分の上に位置する少なくとも１つの疎水性の層をさらに備える、請求項１に記載のマイクロ流体構造。
【請求項９】
前記駆動電極のアレイを、前記薄膜トランジスタのアレイを介して少なくとも１つの電圧源と電気的に接続するための少なくとも１つの電気コネクタをさらに備える、請求項１に記載のマイクロ流体構造。
【請求項１０】
前記マイクロ流体構造の製造が完了した後に、前記第１のポートは、前記キャビティと前記マイクロ流体構造の外部との間に流体の伝達を提供する、請求項１に記載のマイクロ流体構造。
【請求項１１】
マイクロ流体システムであって、
少なくとも１つの電圧を供給するための少なくとも１つの電圧源と、
第１のプレートと、該第１のプレートから間隔を空け、該第１のプレートとの間に少なくとも１つのキャビティを形成する第２のプレートと、該キャビティとマイクロ流体構造の外部との間に流体の伝達を提供する少なくとも第１のポートと、該第１のプレートと該第２のプレートとの間に収容された駆動電極のアレイと、該駆動電極のアレイの少なくとも一部分の上に位置する誘電体と、薄膜トランジスタのアレイとを備えるマイクロ流体構造であって、該薄膜トランジスタは、該駆動電極のアレイにおける該駆動電極のそれぞれと接続され、該駆動電極の上に位置する該誘電体のそれぞれの部分に印加されたそれぞれの電位を制御し、該駆動電極により、少なくとも１つの流体を移動させる、マイクロ流体構造と、
ドライバ命令のセットを実行するようにプログラム可能であり、かつ、ドライバ命令のセットにより、該薄膜トランジスタのアレイの該薄膜トランジスタを制御するために接続されて、該少なくとも１つの電圧を、該薄膜トランジスタを介して該電圧源から該駆動電極に供給するコントローラと
を備える、マイクロ流体システム。
【請求項１２】
コンピューティングシステムと、
ユーザ入力に応答して、該コンピューティングシステムに前記ドライバ命令のセットを生成させるためのコンピュータ動画命令のセットを有するコンピュータ読み出し可能媒体と
をさらに備える、請求項１１に記載のマイクロ流体システム。
【請求項１３】
コンピューティングシステムと、
ユーザ入力に応答して、該コンピューティングシステムに前記ドライバ命令のセットを生成させるためのコンピュータ動画命令のセットを有するコンピュータ読み出し可能媒体とをさらに備え、該コンピュータ動画命令は、標準的な、変更されていない市販の動画ソフトウェアパッケージを備える、請求項１１に記載のマイクロ流体システム。
【請求項１４】
所定の最小の長手方向寸法を有するマイクロ流体ボディを移動させるマイクロ流体プラットフォームであって、
該マイクロ流体ボディの該所定の最小の長手方向の寸法よりも小さい寸法を有する複数の駆動電極と、
該複数の電極の少なくとも一部分の上に位置する誘電体層と、
該駆動電極に接続された複数の薄膜トランジスタであって、該誘電体層のそれぞれの部分へのそれぞれの電位を制御して、該流体ボディを、１つの駆動電極の上に位置する該誘電体層の一部分から別の駆動電極の上に位置する該誘電体層の一部分に移動させる、複数の薄膜トランジスタと、
該マイクロ流体プラットフォームの使用中に、該マイクロ流体プラットフォームの内部と外部との間に流体の伝達を提供するポートと
を備える、マイクロ流体プラットフォーム。
【請求項１５】
前記電極の前記寸法は、前記マイクロ流体ボディの前記最小の長手方向の寸法のほぼ半分よりも小さい、請求項１４に記載のマイクロ流体プラットフォーム。
【請求項１６】
前記電極の前記寸法は、前記マイクロ流体ボディの前記最小の長手方向の寸法の約３分の１よりも小さい、請求項１４に記載のマイクロ流体プラットフォーム。
【請求項１７】
前記流体によってエレクトロウェッティングされる面積と等価の面積に、少なくとも３つの駆動電極が存在する、請求項１４に記載のマイクロ流体プラットフォーム。
【請求項１８】
前記マイクロ流体プラットフォームの使用中に、前記ポートを選択的に開閉するためのバルブをさらに備える、請求項１４に記載のマイクロ流体プラットフォーム。
【請求項１９】
マイクロ流体ボディを移動させるマイクロ流体プラットフォームであって、
駆動電極の２次元マトリクスアレイであって、該駆動電極は、該２次元マトリクスで寸法調整され、かつ、互いに間隔を空け、これにより、該マイクロ流体ボディによってエレクトロウェッティングされた表面に対応する面積に、少なくとも３つの電極が存在する、２次元マトリクスアレイと、
該駆動電極の２次元マトリクスアレイの少なくとも一部分の上に位置する誘電体と、
該駆動電極に接続された複数の薄膜トランジスタであって、該それぞれの駆動電極の上に位置する該誘電体のそれぞれの部分に印加される電位を制御し、該誘電体層の連続的部分間で該マイクロ流体ボディを移動させる、複数の薄膜トランジスタと、
該マイクロ流体プラットフォームの使用中に、該マイクロ流体プラットフォームの内部と外部との間に流体の伝達を提供するポートと
を備える、マイクロ流体プラットフォーム。
【請求項２０】
マイクロ流体システムであって、
複数の駆動電極を有するマイクロ流体構造と、
該マイクロ流体構造を制御するために接続されたコントローラと、
該マイクロ流体構造において少なくとも１つの流体ボディが存在する場合、該少なくとも１つの流体ボディの位置を検出する複数のフィードバックセンサ、および、該検出された位置に対応するフィードバック位置信号を提供する少なくとも１つの出力を有するフィードバックサブシステムと
を備える、マイクロ流体システム。
【請求項２１】
前記フィードバックサブシステムから前記フィードバック位置信号を受信するように接続され、かつ、該マイクロ流体構造において前記少なくとも１つの流体ボディが存在する場合、該少なくとも１つの流体ボディの前記検出された位置に対応するイメージを表示するように構成されたディスプレイをさらに備える、請求項２０に記載のマイクロ流体システム。
【請求項２２】
前記マイクロ流体構造であって、
第１のプレートと、
該第１のプレートとの間に少なくとも１つのキャビティを形成するために、該第１のプレートから間隔を空けた第２のプレートと、
該第１のプレートと該第２のプレートとの間に収容された駆動電極によって形成された２次元マトリクスアレイであって、該駆動電極は、別々にアドレス指定可能である、２次元マトリクスアレイと、
該駆動電極によって形成された該２次元マトリクスアレイの少なくとも一部分の上に位置する誘電体層と、
薄膜トランジスタのアレイであって、該薄膜トランジスタは、該駆動電極によって該駆動電極の上に位置する該誘電体層の一部分に印加されるそれぞれの電位を制御して前記流体ボディを移動させるために、該駆動電極のそれぞれに接続される、薄膜トランジスタのアレイと、
を備える、請求項２０に記載のマイクロ流体システム。
【請求項２３】
マイクロ流体システムであって、
複数の駆動電極を有するマイクロ流体構造と、
該マイクロ流体構造において少なくとも１つの流体ボディが存在する場合、該少なくとも１つの流体ボディの一部分を検出するための複数のフィードバックセンサ、およびフィードバック位置信号を提供するための少なくとも１つの出力を有するフィードバックサブシステムと、
駆動信号を生成し、かつ、該駆動信号を介して該マイクロ流体構造の該駆動電極を制御し、そして、該フィードバックサブシステムから該フィードバック位置信号を受信するように接続されたコントローラと
を備える、マイクロ流体システム。
【請求項２４】
少なくとも１つのキャビティと、駆動電極の２次元マトリクスアレイと、該駆動電極の２次元マトリクスアレイの少なくとも一部分の上に位置する誘電体と、該駆動電極と電気的に接続された薄膜トランジスタのアレイとを有するマイクロ流体構造を制御する方法であって、
少なくとも１つの流体を該マイクロ流体構造のキャビティに導入するステップと、
実行可能命令のセットを実行して、前記流体の所望の流路における駆動電極と該流体の該所望の流路の外側の駆動電極とを含む該駆動電極の２次元マトリクスアレイにおける駆動電極ごとに駆動信号のセットを生成するステップと、
該駆動信号のセットを該薄膜トランジスタのアレイの薄膜トランジスタに印加するステップと、
該薄膜トランジスタに印加された該駆動信号のセットに応答して、該駆動電極に電位を印加するステップと、
該駆動電極の上に位置するそれぞれの該誘電体のそれぞれの部分にそれぞれの電位を印加して、該所望の流路に沿って、少なくとも１つの流体を該少なくとも１つの駆動電極から少なくとももう１つの駆動電極に移動させるステップと
を包含する、方法。
【請求項２５】
少なくとも１つのキャビティと、駆動電極のアレイと、該駆動電極に接続された薄膜トランジスタのアレイとを有するマイクロ流体構造を制御して、少なくとも１つの流体にわたって選択的に電圧を印加する方法であって、該方法は、
標準的な、変更されていない動画ソフトウェアパッケージを用いて、動画シーケンスに対応する実行可能命令のセットを生成するステップと、
該少なくとも１つの流体を該マイクロ流体構造の該キャビティに導入するステップと、
該実行可能命令のセットを実行して、駆動信号のセットを生成するステップと、
前記駆動信号を該薄膜トランジスタに印加するステップと、
該薄膜トランジスタを介して電位を該駆動電極に選択的に印加して、該駆動電極の少なくとも１つから該流体を該駆動電極のもう１つに移動させるステップと
を包含する、方法。
【請求項２６】
マイクロ流体構造を形成する方法であって、該方法は、
第１のプレートを提供するステップと、
第２のプレートを提供するステップと、
該第２のプレートを該第１のプレートから間隔を空けて配置し、該第１のキャビティと該第２のキャビティとの間に少なくとも１つのキャビティを生成するステップと、
駆動電極のアレイと、該駆動電極を制御するために電気的に接続され、該第１のプレートの少なくとも一部分の上に位置する薄膜トランジスタのアレイとを形成するステップと、
該マイクロ流体構造の外部と該キャビティとの間にポートを提供するステップと、
を包含する、方法。
【請求項２７】
駆動電極の２次元マトリクスアレイと、該駆動電極の２次元マトリクスアレイの少なくとも一部分の上に位置する誘電体と、該駆動電極に接続された薄膜トランジスタのアレイとを有するマイクロ流体構造において、コンピュータに流体を移動させるための命令を含むコンピュータ読み出し可能媒体であって、
該駆動電極の２次元マトリクスアレイにおける駆動電極ごとに駆動信号のセットを生成するステップであって、該電極は、少なくとも１つの流体の所望の流路内の駆動電極と、該少なくとも１つの流体の所望の流路の外側の駆動電極とを含む、ステップと、
該薄膜トランジスタのアレイの該薄膜トランジスタに駆動信号のセットを印加するステップと、
該薄膜トランジスタに印加された該駆動信号のセットに応答して、該駆動電極に電位を印加するステップと、
該駆動電極のそれぞれの上に位置する該誘電体のそれぞれの部分にそれぞれの電位を印加して、該少なくとも１つの流体を該所望の流路に沿って、少なくとも１つの駆動電極から少なくとももう１つの駆動電極に移動させるステップと
によって流体を移動させる、コンピュータ読み出し可能媒体。
【請求項２８】
コントローラと、複数の位置フィードバックセンサと、選択的にアドレス指定可能な駆動電極のアレイを備えるマイクロ流体構造とを有するマイクロ流体システム動作させる方法であって、該方法は、
駆動信号を提供して、該駆動電極の選択されたものを駆動させるステップと、
該位置フィードバックセンサから位置フィードバック信号を受取るステップであって、該位置フィードバック信号は、該駆動電極に関して、少なくとも１つの流体ボディの実際の位置を表す、ステップと、
該位置フィードバック信号に応答して、該少なくとも１つの流体ボディの実際の位置の表現をアクティブマトリクスディスプレイ上に表示するステップと
を包含する、方法。
【請求項２９】
コントローラと、複数の位置フィードバックセンサと、選択的にアドレス指定可能な駆動電極のアレイを備えるマイクロ流体構造とを有するマイクロ流体システムを動作させる方法であって、該方法は、
駆動信号を提供して、該駆動電極の選択されたものを駆動するステップと、
該位置フィードバックセンサから位置フィードバック信号を受信するステップであって、該位置フィードバック信号は、該駆動電極に関して、少なくとも１つの流体ボディの実際の位置を表す、ステップと、
少なくとも部分的に該位置フィードバック信号に基づいて、さらなる駆動信号を提供するステップと
を包含する、方法。